(57)【要約】【課題】移動用レンズ保持部材に対するガイド軸の振動に伴う移動用レンズ保持部材とガイド軸との衝突による騒音を抑え得るレンズ鏡筒の提供を目的とする。【解決手段】鏡筒本体に保持された第１ガイド軸２と、前記第１ガイド軸２に沿って移動し得るように第１ガイド軸２に支持された被支持部３３を有する移動用レンズ保持部材３と、移動用レンズ保持部材３が第１ガイド軸２を移動する際の移動用レンズ保持部材３に対する第１ガイド軸２の振動を抑えるための第１制振部材４１とを備える。第１制振部材４１は、被支持部３３における移動用レンズ保持部材３と第１ガイド軸２との間に配置されている。【選択図】図１
2017161805.tif 000002
【特許請求の範囲】
【請求項１】
鏡筒本体と、前記鏡筒本体に保持された第１ガイド軸と、１又は複数のレンズを保持し前記第１ガイド軸に沿って移動し得るように前記第１ガイド軸に支持された被支持部を有する移動用レンズ保持部材と、前記移動用レンズ保持部材が前記第１ガイド軸を移動する際の前記移動用レンズ保持部材に対する前記第１ガイド軸の振動を抑えるための第１制振部材とを備え、
前記鏡筒本体は、前記移動用レンズ保持部材を駆動させるアクチュエータと、前記第１ガイド軸回りの前記移動用レンズ保持部材の回動を防止する回り止め部とを備え、
前記第１制振部材は、前記被支持部における前記移動用レンズ保持部材と前記第１ガイド軸との間、且つ、前記第１ガイド軸における前記移動用レンズ保持部材の径方向外側となる部分を除く周囲に配置されていることを特徴とするレンズ鏡筒。
【請求項２】
前記移動用レンズ保持部材は、前記レンズを保持した筒状の移動用レンズ保持部材本体と、前記移動用レンズ保持部材本体の軸方向の一方端面から前記軸方向の一方側に突設された突設部とを備え、
前記被支持部は、前記移動用レンズ保持部材本体に形成された第１被支持部と、前記第１被支持部から延されるように前記突設部に形成された第２被支持部とを備え、
前記第１制振部材は、前記突設部における前記移動用レンズ保持部材本体との連結部に配置されていることを特徴とする請求項１記載のレンズ鏡筒。
【請求項３】
前記第１ガイド軸は、断面円形状のものであり、
前記第１制振部材は、前記第１ガイド軸と当接する当接部を備え、
前記当接部は、前記第１ガイド軸と当接する前の状態で平面形状であることを特徴とする請求項１又は２に記載のレンズ鏡筒。
【請求項４】
前記移動用レンズ保持部材は、前記第１制振部材を配置する第１制振部材配置部を備え、
前記第１制振部材配置部は、前記第１ガイド軸と対向するように前記第１ガイド軸に沿って延ばされた第１配置部と、前記第１配置部から前記第１ガイド軸に沿って延ばされるように形成された第２配置部とを備え、
前記第２配置部は、前記第１制振部材の端部を収納できるように、前記第１配置部から凹まされた状態に形成されていることを特徴とする請求項１〜３の何れか一項に記載のレンズ鏡筒。
【請求項５】
前記第１制振部材は、弾性を有する多孔質部材であることを特徴とする請求項１〜４の何れか一項に記載のレンズ鏡筒。
【請求項６】
前記移動用レンズ保持部材に対する前記回り止め部の振動を抑える第２制振部材を、更に備え、
前記回り止め部は、前記第１ガイド軸に略平行に配置された第２ガイド軸を備え、
前記移動用レンズ保持部材は、前記第２ガイド軸を移動可能に受容して前記第２ガイド軸に回り止めされる第２ガイド軸受容部を備え、
前記第２制振部材は、前記第２ガイド軸と前記第２ガイド軸受容部の内壁面との間に配置されていることを特徴とする請求項１〜５の何れか一項に記載のレンズ鏡筒。
【請求項７】
前記第２制振部材は、前記第１ガイド軸と前記第２ガイド軸とを結ぶ線に直交する直交方向における前記第２ガイド軸と前記第２ガイド軸受容部の内壁面との間に配置されていることを特徴とする請求項６に記載のレンズ鏡筒。
【請求項８】
前記第２制振部材は、弾性を有する多孔質部材であることを特徴とする請求項６又は７に記載のレンズ鏡筒。
【発明の詳細な説明】
【技術分野】
【０００１】
本発明は、レンズ鏡筒に関するものである。
【背景技術】
【０００２】
近年、デジタルカメラの撮像レンズは静止画のみならず動画の撮影にも用いられる。動画の撮影ではマイクにレンズの駆動音が録音されないように駆動音の静音化が求められている。
【０００３】
また、例えば特許文献１に、移動用レンズ保持部材を支持したガイド軸を介して鏡筒本体への振動の伝搬による特定周波数の騒音を抑えるようにした光学機器が開示されている。詳しくは、この特許文献１に開示された光学機器は、鏡筒本体と、鏡筒本体に保持されたガイド軸と、レンズを保持し前記第１ガイド軸に沿って移動し得るようにガイド軸に支持された移動用レンズ保持部材と、制振部材とを備え、又、鏡筒本体は、ガイド軸を保持したフォーカスベース部材と、フォーカスベース部材と連結した固定筒とを備えている。そして、制振部材は、フォーカスベース部材と固定筒との間に配置され、これにより、ガイド軸を介して鏡筒本体におけるフォーカスベース部材から固定筒へ伝搬する振動を抑制し、騒音の発生を抑えるようにしたものである。
【先行技術文献】
【特許文献】
【０００４】
【特許文献１】特許第５０７２７８７号公報
【発明の概要】
【発明が解決しようとする課題】
【０００５】
ところで、騒音の発生は、移動用レンズ保持部材がガイド軸を移動する際に移動用レンズ保持部材に対してガイド軸が振動して移動用レンズ保持部材とガイド軸とが衝突することによっても発生する。
【０００６】
しかしながら、特許文献１では、フォーカスベース部材から固定筒へ伝搬する振動を抑えることができても、移動用レンズ保持部材に対するガイド軸の振動を抑え難い。そのため、移動用レンズ保持部材に対するガイド軸の振動に伴う移動用レンズ保持部材とガイド軸との衝突による騒音を抑え難いという問題点を有する。
【０００７】
本発明は、移動用レンズ保持部材に対するガイド軸の振動に伴う移動用レンズ保持部材とガイド軸との衝突による騒音を抑え得るレンズ鏡筒の提供を目的とする。
【課題を解決するための手段】
【０００８】
本発明者は、種々検討した結果、上記目的は、以下の本発明により達成されることを見出した。すなわち、本発明の一態様にかかるレンズ鏡筒は、鏡筒本体と、前記鏡筒本体に保持された第１ガイド軸と、１又は複数のレンズを保持し前記第１ガイド軸に沿って移動し得るように前記第１ガイド軸に支持された被支持部を有する移動用レンズ保持部材と、前記移動用レンズ保持部材が前記第１ガイド軸を移動する際の前記移動用レンズ保持部材に対する前記第１ガイド軸の振動を抑えるための第１制振部材とを備え、前記鏡筒本体は、前記移動用レンズ保持部材を駆動させるアクチュエータと、前記第１ガイド軸回りの前記移動用レンズ保持部材の回動を防止する回り止め部とを備え、前記第１制振部材は、前記被支持部における前記移動用レンズ保持部材と前記第１ガイド軸との間、且つ、前記第１ガイド軸における前記移動用レンズ保持部材の径方向外側となる部分を除く周囲に配置されている前記第１制振部材は、前記被支持部における前記移動用レンズ保持部材と前記第１ガイド軸との間、且つ、前記第１ガイド軸における前記移動用レンズ保持部材の径方向外側となる部分を除く周囲に配置されていることを特徴とする。
【０００９】
これによれば、第１制振部材が被支持部における移動用レンズ保持部材と第１ガイド軸との間、且つ、第１ガイド軸の周囲に配置されているため、移動用レンズ保持部材が第１ガイド軸を移動する際に移動用レンズ保持部材に対する第１ガイド軸の振動を抑えることができる。これにより、第１ガイド軸の振動に伴う移動用レンズ保持部材と第１ガイド軸との衝突による騒音が抑えられる。
【００１０】
また、回り止め部によって第１ガイド軸回りの移動用レンズ保持部材の回動が防止されながら、アクチュエータにより移動用レンズ保持部材が駆動されて第１ガイド軸を移動するレンズ鏡筒において、移動用レンズ保持部材が第１ガイド軸を移動する際に移動用レンズ保持部材に対する第１ガイド軸の振動を抑えることができる。これにより、本発明は、アクチュエータにより移動用レンズ保持部材が移動するレンズ鏡筒における騒音の抑制に適したものにできる。
【００１１】
他の一態様では、前記レンズ鏡筒において、前記移動用レンズ保持部材は、前記レンズを保持した筒状の移動用レンズ保持部材本体と、前記移動用レンズ保持部材本体の軸方向の一方端面から前記軸方向の一方側に突設された突設部とを備え、前記被支持部は、前記移動用レンズ保持部材本体に形成された第１被支持部と、前記第１被支持部から延されるように前記突設部に形成された第２被支持部とを備え、前記第１制振部材は、前記突設部における前記移動用レンズ保持部材本体との連結部に配置されていることを特徴とする。
【００１２】
これによれば、第１振動部材が突設部における移動用レンズ保持部材本体との連結部に配置されているため、第１ガイド軸の振動を効率よく抑えることができる。より詳しくは、レンズを保持した移動用レンズ保持部材本体は、突設部よりも重量が大きい。そのため、第１ガイド軸は、第２被支持部よりも第１被支持部から大きな負荷を受け、移動用レンズ保持部材の移動に際して第２被支持部よりも第１被支持部での振動が大きくなる場合が多い。そこで、この発明のように、突設部における移動用レンズ保持部材本体との連結部に第１振動部材を配置することで、第１ガイド軸の振動を効率よく抑えることができ、第１ガイド軸の振動に伴う移動用レンズ保持部材と第１ガイド軸との衝突による騒音が、より一層効率よく抑えられる。
【００１３】
また、第１被支持部の一部又は全部に第１振動部材を配置することで、第１振動部材を配置する第１振動部材配置部を別途に形成する必要がなく、装置全体が大型化することを防止できる。
【００１４】
他の一態様では、前記レンズ鏡筒において、前記第１ガイド軸は、断面円形状のものであり、前記第１制振部材は、前記第１ガイド軸と当接する当接部を備え、前記当接部は、前記第１ガイド軸と当接する前の状態で平面形状であることを特徴とする。
【００１５】
これによれば、当接部が当接する前の状態で平面形状に形成されているため、第１ガイド軸との当接面積を小さくでき、移動用レンズ保持部材が第１ガイド軸を移動する際の抵抗を小さく抑えることができる。
【００１６】
他の一態様では、前記レンズ鏡筒において、前記第１制振部材配置部は、前記第１ガイド軸と対向するように前記第１ガイド軸に沿って延ばされた第１配置部と、前記第１配置部から前記第１ガイド軸に沿って延ばされるように形成された第２配置部とを備え、前記第２配置部は、前記第１制振部材の端部を収納できるように、前記第１配置部から凹まされた状態に形成されていることを特徴とする。
【００１７】
これによれば、第２配置部に第１制振部材の端部を収納できる。これにより、例えば移動用レンズ保持部材を第１ガイド軸に支持するように組み付ける際に、第１制振部材配置部に配置された第１制振部材の端部が第１ガイド軸に引っ掛かって組み付けし難くなることが防止され、容易に円滑に組み付けできる。
【００１８】
他の一態様では、前記レンズ鏡筒において、前記第１制振部材は、弾性を有する多孔質部材であることを特徴とする。
【００１９】
これによれば、第１制振部材は弾性を有する多孔質部材であるため、移動用レンズ保持部材が第１ガイド軸を移動する際の抵抗を小さく抑えることができる。
【００２０】
他の一態様では、前記レンズ鏡筒において、前記移動用レンズ保持部材に対する前記回り止め部の振動を抑える第２制振部材を、更に備え、前記回り止め部は、前記第１ガイド軸に略平行に配置された第２ガイド軸を備え、前記移動用レンズ保持部材は、前記第２ガイド軸を移動可能に受容して前記第２ガイド軸に回り止めされる第２ガイド軸受容部を備え、前記第２制振部材は、前記第２ガイド軸と前記第２ガイド軸受容部の内壁面との間に配置されていることを特徴とする。
【００２１】
これによれば、第２ガイド軸受容部に対する第２ガイド軸の振動を抑えることができ、第２ガイド軸の振動に伴う第２ガイド軸受容部と第２ガイド軸との衝突による騒音を抑えることができる。
【００２２】
他の一態様では、前記レンズ鏡筒において、前記第２制振部材は、前記第１ガイド軸と前記第２ガイド軸とを結ぶ線に直交する直交方向における前記第２ガイド軸と前記第２ガイド軸受容部の内壁面との間に配置されていることを特徴とする。
【００２３】
移動用レンズ保持部材が第１ガイド軸回りに回動すると、第２ガイド軸と第２ガイド軸受容部の内壁面とが衝突して騒音が発生する場合が多い。そこで、この発明のように、第２ガイド軸と第２ガイド軸受容部の内壁面との間に第２制振部材を配置する。これにより、第２ガイド軸受容部と第２ガイド軸との衝突による騒音を、効率よく抑えることができる。
【００２４】
他の一態様では、前記レンズ鏡筒において、前記第２制振部材は、弾性を有する多孔質部材であることを特徴とする。
【００２５】
これによれば、第２制振部材は弾性を有する多孔質部材であるため、移動用レンズ保持部材が第２制振部材と第２ガイド軸との抵抗を小さく抑えることができる。
【発明の効果】
【００２６】
本発明のレンズ鏡筒は、移動用レンズ保持部材に対するガイド軸の振動に伴う移動用レンズ保持部材とガイド軸との衝突による騒音を抑えることができる。
【図面の簡単な説明】
【００２７】
【図１】本発明の一実施の形態のレンズ鏡筒の断面図である。
【図２】図１のＩＩ−ＩＩ線断面図である。
【図３】図１のＩＩＩ−ＩＩＩ線断面図である。
【図４】図１のレンズ鏡筒に用いられる移動用レンズ保持部材、第１ガイド軸、第２ガイド軸および第１制振部材の斜視図である。
【図５】図４の側面図である。
【図６】図４の正面図である。
【図７】図４の背面図である。
【図８】図５のＶＩＩＩ−ＶＩＩＩ線断面図である。
【図９】図６のＩＸ−ＩＸ線断面図である。
【図１０】図６のＸ−Ｘ線断面図である。
【図１１】図７のＸＩ−ＸＩ断面図である。
【図１２】図１１のＸＩＩ−ＸＩＩ線断面図である。
【図１３】図５のＸＩＩＩ−ＸＩＩＩ線断面図である。
【図１４】他の実施形態の要部の断面図である。
【図１５】図１４の他の実施形態を説明するための断面図である。
【発明を実施するための形態】
【００２８】
以下、本発明を実施するための形態について、図面を参照しながら詳細に説明する。図１は、本発明の一実施の形態のレンズ鏡筒の断面図、図２は、図１のＩＩ−ＩＩ線断面図、図３は、図１のＩＩＩ−ＩＩＩ線断面図である。又、図４は、図１のレンズ鏡筒に用いられる移動用レンズ保持部材、第１ガイド軸、第２ガイド軸および第１制振部材の斜視図であり、図５は、図４の側面図、図６は、図４の正面図、図７は、図４の背面図である。
【００２９】
この実施形態のレンズ鏡筒１は、図１に示すように、鏡筒本体１０と、鏡筒本体１０に保持された第１ガイド軸２と、第１ガイド軸２に移動可能に支持された移動用レンズ保持部材３と、移動用レンズ保持部材３が第１ガイド軸２を移動する際の移動用レンズ保持部材３に対する第１ガイド軸２の振動を抑えるための第１制振部材４１（図２、図３に図示）とを備えている。
【００３０】
鏡筒本体１０は、内部に、固定的に保持した固定用レンズ保持部材１２、１３、１４と、移動用レンズ保持部材を駆動させるモータ（アクチュエータ、図４参照）１５とを備えている。
【００３１】
固定用レンズ保持部材は、この実施形態では、対物側（Ｘ１方向側）から順次像側（Ｘ２方向側）に配置された第１固定用レンズ保持部材１２、第２固定用レンズ保持部材１３及び第３固定用レンズ保持部材１４の３つを備えている。
【００３２】
これらの第１固定用レンズ保持部材１２と第２固定用レンズ保持部材１３と第３固定用レンズ保持部材１４とは、それぞれ、１又は複数のレンズ１２ａ、１３ａ、１４ａを保持している。これにより、レンズ１２ａ、１３ａ、１４ａの光軸Ｃが鏡筒本体１０の軸心に一致するように形成されている。
【００３３】
モータ１５は、図４に示すように、モータ本体１５１と、モータ本体１５１から延された回転軸１５２とを備えている。回転軸１５２は、外周に、螺旋状に形成されたリード溝１５３を備えている。
【００３４】
そして、このモータ１５は、回転軸１５２が光軸Ｃ方向に延され、この状態で、モータ本体１５１が鏡筒本体１０の一部にブラケット１５４によって固定的に取り付けられている。
【００３５】
このように構成された鏡筒本体１０は、図１に示すように、その像側がカメラ本体等に着脱自在に取り付けられるようになっており、これにより、レンズ鏡筒１がカメラ本体等に取り付けられる。
【００３６】
第１ガイド軸２は、所定の長さを有する断面円形状（円柱状）のものからなる。この第１ガイド軸２は、図４〜図８に示すように鏡筒本体１０の内部におけるモータ１５の周方向側の近傍に、図１に示すように第１ガイド軸２の長手方向が光軸Ｃに沿って延ばされるように配置され、その状態で、第１ガイド軸２の両端部が鏡筒本体１０に固定的に保持されている。
【００３７】
移動用レンズ保持部材３は、図１〜図１３に示すように円筒状の移動用レンズ保持部材本体３１と、移動用レンズ保持部材本体３１から突設された突設部３２と、第１ガイド軸２に支持される被支持部３３と、移動用レンズ保持部材本体３１とモータ１５とを連結したアクチュエータ連結部３４とを備えている。
【００３８】
移動用レンズ保持部材本体３１は、内周部に、１又は複数のレンズ３１ａ（図１参照）を保持している。又、移動用レンズ保持部材本体３１は、外周における軸方向の像側に、鏡筒本体１０に設けられた第２ガイド軸（回り止め部材）１６に回り止めされる第２ガイド軸受容部３１１を備えている。
【００３９】
詳しくは、鏡筒本体１０は、第１ガイド軸２に略平行に固定的に配置された断面円形状の第２ガイド軸１６を備えている。移動用レンズ保持部材本体３１は、外周に、第２ガイド軸１６が移動可能に挿通する挿通孔からなる第２ガイド軸受容部３１１を備えている。そして、この第２ガイド軸受容部３１１に第２ガイド軸１６が移動可能に挿通されており、これにより、第１ガイド軸２回りのレンズ保持部材３の回動が防止されるようになっている。
【００４０】
また、この第２ガイド軸受容部３１１に、第２制振部材４２（図７に図示）が配置されている。この第２制振部材４２については、後述する。
【００４１】
突設部３２は、図４〜図８に示すように移動用レンズ保持部材本体３１の外周における第２ガイド軸受容部３１１と周方向に略１８０°隔てた位置に、移動用レンズ保持部材本体３１の軸方向の対物側の一方端面から一方側（対物側）に所定の長さで突設されている。
【００４２】
被支持部３３は、この実施形態では、移動用レンズ保持部材本体３１の外周における軸方向の像側の略他方端から突設部３２の対物側の突出先端までの領域に、光軸Ｃ方向に沿って形成されており、被支持部３３は、移動用レンズ保持部材本体３１に形成された第１被支持部３３１と、突設部３２に形成された第２被支持部３３２とを備えている。
【００４３】
第１被支持部３３１は、第１ガイド軸２が移動可能に挿通するように像側の端部に形成された第１ガイド軸挿通孔３３１ａと、第１ガイド軸２を受容する第１ガイド軸受容部３３１ｂと、第１制振部材４１を配置する第１制振部材配置部３３３とを備えている。
【００４４】
第１ガイド軸受容部３３１ｂは、移動用レンズ保持部材本体３１の径方向外側が開口された、後述の第２被支持部３３２の第１ガイド軸受容部３３２ｂと同形状の断面略Ｕ字形状に形成されている（図１３参照）。
【００４５】
第１制振部材配置部３３３は、この実施形態では、第１ガイド軸受容部３３１ｂの一部に、光軸Ｃ方向に所定幅で形成されている。又、第１制振部材配置部３３３は、図８に示すように、第１ガイド軸２に対向する対向部３３３ａと、第１制振部材配置部３３３に第１制振部材４１を配置操作する配置操作部３３３ｂとを備えている。配置操作部３３３ｂは、対向部３３３ａから移動用レンズ保持部材本体３１の周方向側に延設されるように形成されている。
【００４６】
また、この実施形態では、対向部３３３ａから延設部３３３ｂに至る第１制振部材配置部３３３の全体が平面形状に形成されている。
【００４７】
第２被支持部３３２は、図４〜図８に示すように、第１ガイド軸２が移動可能に挿通するように対物側の端部に形成された第１ガイド軸挿通孔３３２ａと、第１ガイド軸２を受容する第１ガイド軸受容部３３２ｂとを備えている。
【００４８】
第２被支持部３３２の第１ガイド軸受容部３３２ｂは、図１３に示すように第１ガイド軸受容部３３１ｂと同形状の断面略Ｕ字形状に形成され、第１ガイド軸受容部３３１ｂから連続的に形成されている。
【００４９】
そして、このように形成された第１被支持部３３１の第１ガイド軸挿通孔３３１ａと第２被支持部３３２の第１ガイド軸挿通孔３３２ａとに第１ガイド軸２が挿通されることにより、移動用レンズ保持部材３が第１ガイド軸２に沿って移動可能に第１ガイド軸２に支持されている。これにより、移動用レンズ保持部材３に保持されたレンズ３１ａが、第２固定用レンズ保持部材１３に保持されたレンズ１３ａと第３固定用レンズ保持部材１４に保持されたレンズ１４ａとの間に配置されている。
【００５０】
又、第１ガイド軸２が挿通された状態で、第１ガイド軸２と、第１被支持部３３１の第１ガイド軸受容部３３１ｂの底面、第２被支持部３３２の第１ガイド軸受容部３３２ｂの底面、及び第１制振部材配置部３３３とは、所定の隙間ｔが形成されている（図８参照）。
【００５１】
アクチュエータ連結部３４は、図４に示すようにモータ１５の回転軸１５２に係合した回転軸係合部材３４１と、回転軸係合部材３４１を付勢したコイルバネからなる付勢部材３４２とを備えている。
【００５２】
回転軸係合部材３４１は、図１３に示すように、先端側に、回転軸１５２のリード溝１５３に移動可能に係合した係合片３４１ａを備え、他端側に、取付用軸３４１ｂを備えている。そして、取付用軸３４１ｂが移動用レンズ保持部材本体３１に回動自在に取り付けられ、これにより、回転軸係合部材３４１が取付用軸３４１ｂ回りに回動し得るようになっている。
【００５３】
付勢部材３４２は、回転軸１５２のリード溝１５３に移動可能に係合した回転軸係合部材３４１を取付用軸３４１ｂ回りの一方向側（図１３の反時計方向のＺ方向）に付勢しており、これにより、図１３に示すように係合片３４１ａが回転軸１５２のリード溝１５３をｐ方向に付勢しているとともに、第２ガイド軸受容部３１１の内壁面が第２ガイド軸４２をｑ方向に付勢している。
【００５４】
第１制振部材４１は、この実施形態では、スポンジ等の弾性を有する多孔質部材から構成されている。又、第１制振部材４１は、第１制振部材配置部３３３に嵌り込み可能な矩形状で、第１ガイド軸２と第１制振部材配置部３３３との隙間３３４よりも厚く形成されている。
【００５５】
第１制振部材４１は、厚さ方向の一方面に、第１ガイド軸２と当接する当接部４１ａを備えている。当接部４１ａは、第１ガイド軸２と当接する前の状態で平面形状に形成されている。この実施形態では、第１制振部材４１は、第１ガイド軸２と当接する前の状態（組み付けられる前の状態）で、上記隙間ｔよりも厚い、全体が板状を呈するものから構成されている。
【００５６】
このように形成された第１制振部材４１は、第１制振部材配置部３３３における対向部３３３ａから延設部３３３ｂに至る全体に配置され、当接部４１ａが第１ガイド軸２に当接している。又、この実施形態では、第１制振部材４１は、第１制振部材配置部３３３に接着剤によって接着固定されている。
【００５７】
次に、第２制振部材４２について説明する。第２制振部材４２は、第２ガイド軸受容部３１１に対する第２ガイド軸１６の振動を抑えるためのものである。この実施形態では、第２制振部材４２は、第１制振部材４１と同じものが用いられている。
【００５８】
そして、第２制振部材４２は、第２ガイド軸受容部３１１の内壁面と第２ガイド軸１６との間に配置される。この実施形態では、第２制振部材４２は、第１ガイド軸２と第２ガイド軸１６とを結ぶ線に直交する方向における第２ガイド軸受容部３１１の内壁面で、且つ、付勢部材３４２により第２ガイド軸１６側に付勢される第２ガイド軸受容部３１１の内側面３１１ａに配置されている。
【００５９】
次に、この実施形態のレンズ鏡筒１の動作について説明する。モータ１５の始動に伴い回転軸１５２が右又は左回転すると、それに伴い、移動用レンズ保持部材３のアクチュエータ連結部３４の回転軸係合部材３４１が回転軸１５２のリード溝１５３によって回転軸１５２の軸方向、即ち光軸Ｃ方向に送られる。これにより、移動用レンズ保持部材３の被支持部３３が、第１ガイド軸２に沿って光軸Ｃ方向（Ｘ１−Ｘ２方向）に移動する。
【００６０】
その際、被支持部３３と第１ガイド軸２との間に、第１制振部材４１が第１ガイド軸２に押し付けられるように配置されているため、被支持部３３に対する第１ガイド軸２の振動が抑えられる。これにより、第１ガイド軸２と被支持部３３との衝突による騒音が抑えられる。
【００６１】
また、その際、第１制振部材４１が移動用レンズ保持部材本体３１の外周に形成された第１被支持部３３１に配置されているため、第１ガイド軸の振動を効率よく抑えることができる。より詳しくは、レンズを保持した移動用レンズ保持部材本体は、突設部よりも重量が大きい。そのため、第１ガイド軸は、第２被支持部よりも第１被支持部から大きな負荷を受け、移動用レンズ保持部材の移動に際して第２被支持部よりも第１被支持部で振動が起こり易い。そこで、この実施形態のように、第１被支持部に第１振動部材を配置することで、第１ガイド軸の振動を効率よく抑えることができ、第１ガイド軸の振動に伴う移動用レンズ保持部材と第１ガイド軸との衝突による騒音が、より一層効率よく抑えられる。
【００６２】
また、第１制振部材の当接部は、第１ガイド軸と当接する前の状態で平面形状であるため、第１ガイド軸との当接面積を小さくでき、移動用レンズ保持部材が第１ガイド軸を移動する際の抵抗を小さく抑えることができ、移動用レンズ保持部材が第１ガイド軸を円滑に移動する。
【００６３】
また、第１制振部材は、弾性を有する多孔質部材から構成されているため、移動用レンズ保持部材が第１ガイド軸を移動する際の抵抗を小さく抑えることができる。
【００６４】
また、第２制振部材が第２ガイド軸と移動用レンズ保持部材の第２ガイド軸受容部の内壁面との間に配置されているため、第２ガイド軸受容部に対する第２ガイド軸の振動を抑えることができ、第２ガイド軸の振動に伴う第２ガイド軸受容部と第２ガイド軸との衝突による騒音を抑えることができる。
【００６５】
また、この実施形態では、第２制振部材は、第１ガイド軸と第２ガイド軸とを結ぶ線に直交する直交方向における第２ガイド軸と第２ガイド軸受容部の内壁面との間に配置されているため、第２ガイド軸受容部と第２ガイド軸との衝突による騒音を、効率よく抑えることができる。
【００６６】
また、第２制振部材は弾性を有する多孔質部材であるため、移動用レンズ保持部材が第２制振部材と第２ガイド軸との抵抗を小さく抑えることができる。
【００６７】
尚、上記実施形態では、第１制振部材配置部は、全体が平面形状になるように形成されたが、この形態のものに限らず、適宜変更できる。例えば図１４、図１５に示すように、第１制振部材配置部１３３３は、第１ガイド軸２と対向するように第１ガイド軸２（光軸Ｃ方向）に沿って延ばされた第１配置部１３３３ａと、第１配置部１３３３ａから第１ガイド軸２に沿って延ばされるように第１配置部１３３３ａと第１被支持部３３１の第１ガイド軸挿通孔３３１ａとの間に形成された第２配置部１３３３ｂとを備えたものとする。
【００６８】
第２配置部１３３３ｂは、第１制振部材４１の端部１４１を収納できるように、第１配置部１３３３ａから凹まされた状態に形成されている。
【００６９】
このように構成されれば、第１制振部材４１の端部１４１が第２配置部１３３３ｂに収納されることで、例えば図１５に示すように、第１ガイド軸２を第１ガイド軸挿通孔３３１ａに挿通し、更に第２被支持部３３２の第１ガイド軸挿通孔３３２ａに挿通する組付けに際して、第１制振部材４１の端部１４１が第１ガイド軸２の先端に引っ掛かって組み付けし難くなることが防止され、容易に円滑に組み付けできる。
【００７０】
また、上記実施形態では、第１制振部材４１は、第１被支持部３３１に配置されたが、例えば第１制振部材４１は突設部３２における移動用レンズ保持部材本体３１との連結部に配置されてもよく、適宜変更できる。
【符号の説明】
【００７１】
１    レンズ鏡筒
２    第１ガイド軸
３    移動用レンズ保持部材
１０    鏡筒本体
１５    モータ（アクチュエータ）
１６    第２ガイド軸
３１    移動用レンズ保持部材本体
３２    突設部
３３    被支持部
４１    第１制振部材
４２    第２制振部材
Ｃ    光軸
３３１    第１被支持部
３３２    第２被支持部
【図１】
2017161805.tif 000003
【図２】
2017161805.tif 000004
【図３】
2017161805.tif 000005
【図４】
2017161805.tif 000006
【図５】
2017161805.tif 000007
【図６】
2017161805.tif 000008
【図７】
2017161805.tif 000009
【図８】
2017161805.tif 000010
【図９】
2017161805.tif 000011
【図１０】
2017161805.tif 000012
【図１１】
2017161805.tif 000013
【図１２】
2017161805.tif 000014
【図１３】
2017161805.tif 000015
【図１４】
2017161805.tif 000016
【図１５】
2017161805.tif 000017